(57)【要約】【課題】スロープ浴槽での介護入浴作業において、スロープの昇降を容易にし介助者への負担を軽減することのできるスロープ浴槽用入浴装置を提供すること。【解決手段】スロープ浴槽のスロープに設けられている昇降補助装置２００と、この昇降補助装置２００と連結可能な入浴用車椅子１００とからなり、スロープの昇降時には、入浴用車椅子１００を昇降補助装置２００に連結し、人力によらずに昇降補助装置２００の機械的な駆動力によりスロープを昇降可能にした。【選択図】　　図１
2004081687.tif 000002
【特許請求の範囲】
【請求項１】
スロープ浴槽のスロープに設けた昇降補助装置と、この昇降補助装置と連結可能な入浴用車椅子とからなるスロープ浴槽用入浴装置。
【請求項２】
前記入浴用車椅子は、前記昇降補助装置の受けアダプタに着脱可能な連結部を有し、前記連結部は可動の爪機構からなり、前記爪機構はハンドルのレバーの操作によって動作する請求項１に記載のスロープ浴槽用入浴装置。
【請求項３】
前記入浴用車椅子は、入浴者が着座する座面と連続するレッグレストを有し、前記レッグレストは、使用時には座面の前方に繰り出し可能で、不使用時には座面の下方に収納可能であり、両側部に入浴者の脚の落下を防止するためのストッパを有する請求項１又は２に記載のスロープ浴槽用入浴装置。
【請求項４】
前記入浴用車椅子の座面を形成する座面フレームを本体フレームの昇降ガイドに沿って昇降可能とし、前記昇降ガイドは後方に向けて傾斜させ、前記座面フレームは上昇するに連れて後方に傾斜する請求項１、２又は３に記載のスロープ浴槽用入浴装置。
【発明の詳細な説明】
【０００１】
【発明の属する技術分野】
本発明は、老人ホームや障害者施設に設置されている介護入浴用のスロープ浴槽に、高齢者や障害者等の要介護者を介護入浴させる際に使用するスロープ浴槽用入浴装置に関する。
【０００２】
【従来の技術】
老人ホームや障害者施設には、車椅子対応の介護入浴施設としてスロープ浴槽が設置されている。このスロープ浴槽には、要介護者（入浴者）が乗った車椅子を浴槽の中に運び入れるための通路として緩やかなスロープが設けられており、浴槽への介護入浴作業は以下の手順で行われる。
【０００３】
▲１▼入浴者を入浴用車椅子に乗せて、後ろ向きにスロープを降りる。
【０００４】
▲２▼浴槽で、入浴者を入浴用車椅子から降ろして、お湯につからせる。
【０００５】
▲３▼入浴者を入浴用車椅子に乗せて、スロープを昇る。
【０００６】
▲４▼入浴者を入浴用車椅子から降ろす。
【０００７】
このような介護入浴作業において、上記▲２▼の作業では入浴者がバランスを崩して浴槽内で溺れてしまう危険性がある。そこで、浴槽で入浴者を降ろすことなく乗せたままで入浴を可能にするための入浴装置として、入浴者が着座する座面を昇降可能とし、スロープの昇り降り時には座面を上昇させ、浴槽内での入浴時には座面を下降させるようにした入浴用車椅子が、特開平７−２０４２４６号公報に提案されている。
【０００８】
しかし、この提案された入浴用車椅子は、座面の昇降機構が複雑であることから価格が高くあまり普及していない。また、介護入浴作業において、上記▲１▼，▲３▼のスロープの昇降作業は、通常２名の介助者で実施されているが、介助者への負担は大きく、安全面でも改善が必要である。最近では体重の重い人も増加しており介助者への負担は増大している。この問題は、上記の特開平７−２０４２４６号公報において提案されているものでは全く未解決のままである。
【０００９】
【発明が解決しようとする課題】
本発明が解決しようとする課題は、スロープ浴槽での介護入浴作業において、スロープの昇降を容易にし介助者への負担を軽減することのできるスロープ浴槽用入浴装置を提供することにある。
【００１０】
【課題を解決するための手段】
本発明のスロープ浴槽用入浴装置は、スロープ浴槽のスロープに設けられている昇降補助装置と、この昇降補助装置と連結可能な入浴用車椅子とからなるもので、スロープの昇降時には、入浴用車椅子を昇降補助装置に連結し、人力によらずに昇降補助装置の機械的な駆動力によりスロープを昇降可能にしたものである。
【００１１】
本発明における入浴用車椅子は、昇降補助装置の受けアダプタに着脱可能な可動の爪機構からなる連結部を有し、爪機構はハンドルのレバーの操作によって動作させるようにすることができる。また、入浴用車椅子に入浴者が着座する座面と連続してレッグレストを設け、レッグレストは、使用時には座面の前方に繰り出し可能で、不使用時には座面の下方に収納可能であり、両側部に入浴者の脚の落下を防止するためのストッパを有するものとすることができる。さらに、入浴用車椅子の座面を形成する座面フレームを本体フレームの昇降ガイドに沿って昇降可能とし、昇降ガイドは後方に向けて傾斜させ、座面フレームは上昇するに連れて後方に傾斜するようにすることができる。
【００１２】
【発明の実施の形態】
以下、添付図に示す実施例によって本発明の実施の形態を説明する。
【００１３】
図１は、本発明のスロープ浴槽用入浴装置の概要を示す斜視図である。本発明のスロープ浴槽用入浴装置は、スロープ浴槽のスロープに設けた昇降補助装置２００と、この昇降補助装置２００と連結可能な入浴用車椅子１００とからなる。
【００１４】
図２は入浴用車椅子１００の概要を示し、（ａ）は平面図、（ｂ）は側面図である。入浴用車椅子１００は、座面フレーム１と、この座面フレーム１を昇降可能に支持する本体フレーム２とからなる。図２では、座面フレーム１に装着される座面シートは省略している。
【００１５】
座面フレーム１には座面１１が形成されており、その先端には入浴者の脚を保持するためのレッグレスト１２がヒンジ１３を介して接続されている。このヒンジ１３によって、レッグレスト１２は、使用時には座面１１の前方に繰り出し可能、かつ不使用時には座面１１の下方に収納可能とされている。レッグレスト１２の両側部には、入浴者の脚が横にずれ出さないように位置決めするためのストッパ１２１，１２１が設けられている。座面フレーム１の背もたれ部となる部分には、２つのローラからなるローラ対１４が上下左右の４箇所に設けられ、各ローラ対１４のローラ間に本体フレーム２の昇降ガイド２１が挟持されている。これによって、座面フレーム１が昇降ガイド２１に沿って昇降可能となっている。ここで、昇降ガイド２１は後方に向けて傾斜させているので、座面フレーム１は昇降ガイド２に沿って上昇するに連れて後方に傾斜するようになる。これによって、座面フレーム１を上昇させたときに入浴者が安定して座面１１に着座でき、入浴者に安心感を与えることができる。座面フレーム１の昇降操作は、座面フレーム１の背もたれ部となる部分の中段付近に設けられている操作フレーム１５を介助者が握って手動で行う。座面フレーム１と本体フレーム２との間にはガスダンパー３を設け、昇降時の操作荷重を軽減するようにしている。
【００１６】
図３は、ガスダンパー３の概略構成図である。ガスダンパー３は、内部にガスが充填されたピストン付きシリンダであり、シリンダ３１の両端にあるガス出口３２，３２間をパイプ３３で接続し、このパイプ３３の途中にストッパバルブ３４が設けられている。ストッパバルブ３４は、図２に示す本体フレーム２の上端に設けられているハンドル２２の一方のレバー２２１と接続されたワイヤ３５をレバー２２１にて操作することによって開閉される。ストッパバルブ３４を開にしたときにガスダンパー３のシャフト３６が移動可能となり、図２に示す座面フレーム１を昇降させることができる。ストッパバルブ３４を閉にしたときにはシャフト３６が移動不能となるので、座面フレーム１を所定の高さ位置に固定することができる。
【００１７】
図２に戻って、本体フレーム２の最下部には、前後に各一対の車輪２３，２４が設けられ、前側の車輪２３，２３の間には、図１に示すスロープ浴槽のスロープの昇降補助装置２００の連結体２１０と連結させるための連結部４が設けられている。
【００１８】
図４は、昇降補助装置２００を示し、（ａ）は平面図、（ｂ）は側面図である。昇降補助装置２００は、連結体２１０と、連結体２１０をフレーム２２０に沿って移動させるためのモータ２３０を主要な構成としている。連結体２１０の長さは約３００ｍｍである。
【００１９】
モータ２３０の回転駆動力はギヤボックス２４０で減速され、ベルト２５０にて駆動側スプロケット２６０に伝達される。駆動側スプロケット２６０と反対側スプロケット２７０との間には、上下２本のチェーン２８０，２８０が掛けられている。チェーン２８０，２８０はフレーム２２０内を走行する。また、連結部２１０は、２本のチェーン２８０，２８０に連結されており、モータ２３０を駆動することにより、チェーン２８０，２８０が動き、これに伴って連結部２１０がフレーム２２０に沿って移動する。このときの移動をスムーズにするために、フレーム２２０の外には棒状のガイドレール２９０，２９０が上下に２本設けられている。そして、連結部２１０のプーリー（図示せず）を上下２本のガイドレール２９０，２９０間に位置させるようにし、上下２本のガイドレール２９０，２９０に沿って、連結部２１０のプーリー（図示せず）が動くようにしている。連結体２１０の先端には、前述の入浴用車椅子１００の座面フレーム１に設けられた連結部４と着脱可能な受けアダプタ２１１が設けられている。
【００２０】
昇降補助装置としては直線移動の場合、上記実施例のようなチェーン駆動方式＋ガイドレールのほかに、スクリューシャフト・ナット方式やラックピニオン方式のスライドレールなどが考えられるが、これらのものは高コストとなるので、コスト低減の点からは上記実施例のチェーン駆動方式＋ガイドレールが好ましい。また、スロープ浴槽側のニーズとして、スロープを直線ではなく、スペース効率を考慮して曲線とすることがあるが、曲線スロープに対応するには、上記実施例において、チェーンを自由自在に曲げることができるカーブドチェーンとし、ガードレールを曲線スロープに合わせた曲線状のガードレールとすればよい。
【００２１】
図５は、昇降補助装置２００側の受けアダプタ２１１と、入浴用車椅子１００側の連結部４を示す断面図である。図５（ａ）に示すように、昇降補助装置２００側の受けアダプタ２１１は一面が開放した筒状体であり、その筒状体の両側面には、入浴用車椅子１００側の連結部４の係合爪４１，４１を受け入れ係合させるため係合孔２１２，２１２が設けられている。一方、入浴用車椅子１００側の連結部４は、図５（ｂ）に示すように係合爪４１，４１からなる爪機構であり、係合爪４１，４１をリンク４２によって可動としている。リンク４２には操作棒４３が接続されており、操作棒４３には、一端をハウジング４５に固定したスプリング４４が装着されている。スプリング４４によって操作棒４３は、リンク４２を介して係合爪４１，４１をハウジング４５から突出させる方向（図において左方向）に常時付勢されている。また、操作棒４３は、図２に示すハンドル２２の他方のレバー２２１とワイヤ（図示せず）にて接続されており、このレバー２２１を操作することによってワイヤを介して操作棒４３を、係合爪４１，４１がハウジング４５内に収まる方向（図において右方向）に動かすことができる。このような機構において、連結部４を受けアダプタ２１１の開放面側から挿入すると、連結部４の係合爪４１，４１が一旦ハウジング４５内に収まるように動き、その後、係合爪４１，４１が受けアダプタ２１１の係合孔２１２，２１２まで達すると、スプリング４４による付勢力によって係合爪４１，４１が再び突出して係合孔２１２，２１２と係合し、連結部４と受けアダプタ２１１とが連結される。連結部４と受けアダプタ２１１との連結を解除するときには、前述のように、レバー２２１を操作することによって係合爪４１，４１をハウジング４５内に収めるように動かし、そのまま連結部４を受けアダプタ２１１から引き抜けばよい。
【００２２】
次に、本発明のスロープ浴槽用入浴装置の使用方法を図６を参照して説明する。図６では、入浴用車椅子１００の座面フレーム１に装着される座面シートは省略している。図６（ａ）は、座面フレーム１を上限まで上昇させ、レッグレスト１２を座面１１の下方に収納した状態を示し、この状態で入浴者を入浴用車椅子１００に乗せる。次に図６（ｂ）に示すように、レッグレスト１２を座面１１の前方に繰り出して入浴者の脚を支持できるようにする。そして、図５で説明したように昇降補助装置２００側の受けアダプタ２１１と入浴用車椅子１００側の連結部４とを連結し、図１に示すようにスロープ浴槽のスロープを昇降補助装置２００の駆動力によって降りる。このとき介助者は１名のみで充分であり、介助者への体力的な負担は殆どない。スロープ浴槽のスロープを降り終わったら、昇降補助装置２００側の受けアダプタ２１１と入浴用車椅子１００側の連結部４との連結を解除し、その後、図６（ｃ）に示すように座面フレーム１を下降させて入浴者を浴槽のお湯につからせる。入浴が終わったら、座面フレーム１を上昇させて図６（ｂ）の状態とし、先と同じ要領でスロープを昇降補助装置２００の駆動力によって昇る。そして、図６（ａ）の状態として入浴者を入浴用車椅子から降ろす。
【００２３】
【発明の効果】
本発明によって以下の効果を奏する。
【００２４】
１．　スロープ浴槽のスロープの昇降を昇降補助装置による機械的な駆動力によって行うことができ、従来２名必要だった介助者が１名で済み、しかもスロープ昇降時の介助者への負担が大幅に軽減され、安全性も向上する。
【００２５】
２．　入浴用車椅子の連結部を昇降補助装置の受けアダプタに着脱可能な可動の爪機構とし、この爪機構をハンドルのレバーの操作によって動作させるようにしているので、介助者が連結部に直接手をのばして連結を解除する必要がなく、介助者の負担が軽減される。
【００２６】
３．　入浴用車椅子のレッグレストを使用時には座面の前方に繰り出し可能で、不使用時には座面の下方に収納可能としているので、入浴者の乗り降り時には座面の下方に収納でき、乗り降りを容易かつ安全に行うことができる。スロープ昇降時等の移動時には、レッグレストを座面の前方に繰り出して使用すれば、入浴者の脚が床面等に着いて怪我することが防止できる。また、レッグレストの両側部にストッパを設けているので入浴者の脚がレッグレストから落ちることも防止できる。
【００２７】
４．　入浴用車椅子の座面を形成する座面フレームを本体フレームの昇降ガイドに沿って昇降可能とし、昇降ガイドを後方に向けて傾斜させ、座面フレームが上昇するに連れて後方に傾斜するようにしているので、座面フレームを上昇させたときには、入浴者の体が確実に保持され、安心感を与えることができるとともに安全性も向上する。
【図面の簡単な説明】
【図１】本発明のスロープ浴槽用入浴装置の概要を示す斜視図である
【図２】入浴用車椅子の概要を示し、（ａ）は平面図、（ｂ）は側面図である。
【図３】ガスダンパーの概略構成図である。
【図４】昇降補助装置を示し、（ａ）は平面図、（ｂ）は側面図である。
【図５】昇降補助装置側の受けアダプタと、入浴用車椅子側の連結部を示す断面図である。
【図６】入浴用車椅子の使用形態を示す側面図である。
【符号の説明】
１００　入浴用車椅子
１　座面フレーム
１１　座面
１２　レッグレスト
１２１　ストッパ
１３　ヒンジ
１４　ローラ対
１５　操作フレーム
２　本体フレーム
２１　昇降ガイド
２２　ハンドル
２２１　レバー
２３，２４　車輪
３　ガスダンパー
３１　シリンダ
３２　ガス出口
３３　パイプ
３４　ストッパバルブ
３５　ワイヤ
３６　シャフト
４　連結部
４１　係合爪
４２　リンク
４３　操作棒
４４　スプリング
４５　ハウジング
２００　昇降補助装置
２１０　連結体
２１１　受けアダプタ
２１２　係合孔
２２０　フレーム
２３０　モータ
２４０　ギヤボックス
２５０　ベルト
２６０　駆動側スプロケット
２７０　反対側スプロケット
２８０　チェーン
２９０　ガイドレール
【図１】
2004081687.tif 000003
【図２】
2004081687.tif 000004
【図３】
2004081687.tif 000005
【図４】
2004081687.tif 000006
【図５】
2004081687.tif 000007
【図６】
2004081687.tif 000008